(57)【要約】【課題】音声専用の出力部を有する構成においてユーザの利便性を向上させる映像音声出力機器を提供する。【解決手段】映像と音声を出力するための第１出力部と、映像と音声のうち音声のみを出力するための第２出力部と、映像信号を格納するビデオメモリと、前記第２出力部に映像入力に対応した外部機器が接続されたことを検知すると、前記ビデオメモリの領域の少なくとも一部を前記第２出力部用に割り当てる制御部と、を備える映像音声出力機器としている。【選択図】図１
2019009517.tif 000002
【特許請求の範囲】
【請求項１】
映像と音声を出力するための第１出力部と、
映像と音声のうち音声のみを出力するための第２出力部と、
映像信号を格納するビデオメモリと、
前記第２出力部に映像入力に対応した外部機器が接続されたことを検知すると、前記ビデオメモリの領域の少なくとも一部を前記第２出力部用に割り当てる制御部と、
を備える映像音声出力機器。
【請求項２】
前記制御部は、前記第１出力部用の前記領域の少なくとも一部を一時的に前記第２出力部用に割り当て、割り当てられた領域を用いて所定映像を前記第２出力部から出力させる、請求項１に記載の映像音声出力機器。
【請求項３】
前記制御部は、前記外部機器から取得される、前記外部機器における前記所定映像の受信状況の情報に基づいて映像出力形式設定を変更して前記所定映像を出力させる、請求項２に記載の映像音声出力機器。
【請求項４】
前記制御部は、一定時間ごとに映像出力形式設定を変更して前記所定映像を出力させる、請求項２に記載の映像音声出力機器。
【請求項５】
前記制御部は、前記外部機器から取得される、前記外部機器が対応する映像出力形式の情報に基づいて前記映像出力形式設定を変更する、請求項４に記載の映像音声出力機器。
【請求項６】
前記制御部は、前記所定映像の出力中に、所定の操作に基づいて前記領域の全てを前記第１出力部用に割り当て可能とする、請求項２から請求項５のいずれか１項に記載の映像音声出力機器。
【請求項７】
前記制御部は、前記第２出力部と前記外部機器との接続の切断を検知すると、前記領域の全てを前記第１出力部用に割り当て可能とする、請求項２から請求項６のいずれか１項に記載の映像音声出力機器。
【請求項８】
前記制御部は、前記第１出力部に外部映像機器が接続されている場合は、前記第２出力部用に前記領域の割り当てを行わずに、前記第２出力部から音声を出力させる、請求項２から請求項７のいずれか１項に記載の映像音声出力機器。
【請求項９】
前記制御部は、前記所定映像の出力中に前記第１出力部に外部映像機器が接続されたことを検知した場合は、前記領域の全てを前記第１出力部用に割り当て可能とする、請求項８に記載の映像音声出力機器。
【請求項１０】
前記制御部は、前記外部機器が対応する映像出力形式を前記第２出力部によって対応することが可能であると判定すると、前記領域の少なくとも一部を前記第２出力部用に割り当てるとともに、前記ビデオメモリの使用権限を前記第１出力部から前記第２出力部へ切替える、請求項１に記載の映像音声出力機器。
【請求項１１】
前記制御部は、前記使用権限を切替えるとともに、前記第１出力部から音声のみを出力可能とする、請求項１０に記載の映像音声出力機器。
【発明の詳細な説明】
【技術分野】
【０００１】
本発明は、映像音声出力機器に関する。
【背景技術】
【０００２】
従来、映像および音声をデジタル信号で伝送する規格であるＨＤＭＩ（High-Definition Multimedia Interface）が存在する。ＨＤＭＩ（登録商標）のシステムは、映像音声を出力する側の機器であるソース機器、映像音声を入力される側の機器であるシンク機器、およびこれらの機器を接続するＨＤＭＩケーブルから構成される。なお、ＨＤＭＩに関する表示装置の一例は、例えば特許文献１に開示される。
【０００３】
ソース機器には、映像音声を出力するための通常のＨＤＭＩポートに加えて、映像音声のうち音声のみを出力するための音声専用ＨＤＭＩポートを有するものがある。
【先行技術文献】
【特許文献】
【０００４】
【特許文献１】国際公開第２０１３／０９９３６９号
【発明の概要】
【発明が解決しようとする課題】
【０００５】
しかしながら、上記ソース機器では、音声専用ＨＤＭＩポートにシンク機器として表示機器（テレビ装置やモニタ等）が接続された場合、音声専用ＨＤＭＩポートからは映像は出力されないため、表示機器に映像が表示されない。特に、ＨＤＭＩポートは機器の背面に配置されることが多く、機器の設置後にＨＤＭＩポートにＨＤＭＩケーブルを接続する場合に手探りで接続する場合が多く、ユーザは音声専用ＨＤＭＩポートであることを目視で確認することはない。従って、ユーザは、音声専用ＨＤＭＩポートに誤って表示機器を接続していることに気付かず、表示機器に映像が表示されないことで機器に故障が発生したと誤判断する虞があった。
【０００６】
また、音声専用ＨＤＭＩポートはシールで塞がれることにより、当該ポートが音声専用ＨＤＭＩポートであることをユーザに知らせる場合もあるが、その場合でも、一度シールを剥がすと、当該ポートが音声専用ＨＤＭＩポートであることが分かりづらく、ユーザは誤って表示機器を音声専用ＨＤＭＩポートに接続する虞があった。
【０００７】
なお、上記特許文献１は、ソース機器と複数のＨＤＭＩケーブルで接続する表示装置において、ケーブルを容易に正しく接続することを可能とすることを目的としており、音声専用ＨＤＭＩポートを有するソース機器の問題を解決するものではない。
【０００８】
上記状況に鑑み、本発明は、音声専用の出力部を有する構成においてユーザの利便性を向上させる映像音声出力機器を提供することを目的とする。
【課題を解決するための手段】
【０００９】
本発明に係る映像音声出力機器は、
映像と音声を出力するための第１出力部と、
映像と音声のうち音声のみを出力するための第２出力部と、
映像信号を格納するビデオメモリと、
前記第２出力部に映像入力に対応した外部機器が接続されたことを検知すると、前記ビデオメモリの領域の少なくとも一部を前記第２出力部用に割り当てる制御部と、を備える構成としている（第１の構成）。
【００１０】
このような構成によれば、ユーザが誤って映像入力に対応した映像機器を音声専用の第２出力部に接続した場合でも、ビデオメモリの格納領域の少なくとも一部を第２出力部用に割り当てるので、第２出力部からの映像出力が可能となり、ユーザが故障が発生した等の誤判断をすることを抑制することができる。従って、ユーザの利便性が向上する。
【００１１】
また、上記第１の構成において、前記制御部は、前記第１出力部用の前記領域の少なくとも一部を一時的に前記第２出力部用に割り当て、割り当てられた領域を用いて所定映像を前記第２出力部から出力させることとしてもよい（第２の構成）。
【００１２】
このような構成によれば、第１出力部からの映像出力を可能としつつ、所定映像を第２出力部から外部機器へ出力させることで、ユーザに誤った接続であることの通知を行うことができる。
【００１３】
また、上記第２の構成において、前記制御部は、前記外部機器から取得される、前記外部機器における前記所定映像の受信状況の情報に基づいて映像出力形式設定を変更して前記所定映像を出力させる、こととしてもよい（第３の構成）。
【００１４】
このような構成によれば、外部機器が映像を適正に受信したところの映像出力形式で所定映像を出力できるので、より確実にユーザに通知することができる。
【００１５】
また、上記第２の構成において、前記制御部は、一定時間ごとに映像出力形式設定を変更して前記所定映像を出力させる、こととしてもよい（第４の構成）。
【００１６】
このような構成によれば、或る映像出力形式設定において所定映像を外部機器に適正に受信させることができるので、より確実にユーザに通知することができる。
【００１７】
また、上記第４の構成において、前記制御部は、前記外部機器から取得される、前記外部機器が対応する映像出力形式の情報に基づいて前記映像出力形式設定を変更することとしてもよい（第５の構成）。
【００１８】
このような構成によれば、所定映像を外部機器に応じてより速く適正に受信させることができ、より速くユーザに通知することができる。
【００１９】
また、上記第２から第５のいずれかの構成において、前記制御部は、前記所定映像の出力中に、所定の操作に基づいて前記領域の全てを前記第１出力部用に割り当て可能とすることとしてもよい（第６の構成）。
【００２０】
このような構成によれば、外部機器の第２出力部への接続が誤っていない場合に、ユーザが所定の操作を行うことで、第１出力部用の映像出力の制限を外すことができる。
【００２１】
また、上記第２から第６のいずれかの構成において、前記制御部は、前記第２出力部と前記外部機器との接続の切断を検知すると、前記領域の全てを前記第１出力部用に割り当て可能とすることとしてもよい（第７の構成）。
【００２２】
このような構成によれば、所定映像による通知により、ユーザが誤った接続であることを認識し、外部機器と第２出力部との接続を切断すると、第１出力部用の映像出力の制限を外すことができる。
【００２３】
また、上記第２から第７のいずれかの構成において、前記制御部は、前記第１出力部に外部映像機器が接続されている場合は、前記第２出力部用に前記領域の割り当てを行わずに、前記第２出力部から音声を出力させることとしてもよい（第８の構成）。
【００２４】
このような構成によれば、外部機器を接続したときに、第１出力部に外部映像機器が接続されている場合は、第２出力部への外部機器の接続は誤っていないとして、第１出力部用の映像出力の制限をかけずに、外部機器へ音声を出力させることができる。
【００２５】
また、上記第８の構成において、前記制御部は、前記所定映像の出力中に前記第１出力部に外部映像機器が接続されたことを検知した場合は、前記領域の全てを前記第１出力部用に割り当て可能とすることとしてもよい（第９の構成）。
【００２６】
このような構成によれば、外部機器を接続したときに外部映像機器は接続されていないが、その後に外部映像機器が接続された場合には、第２出力部への外部機器の接続は誤っていないとして、第１出力部用の映像出力の制限を外すことができる。
【００２７】
また、上記第１の構成において、前記制御部は、前記外部機器が対応する映像出力形式を前記第２出力部によって対応することが可能であると判定すると、前記領域の少なくとも一部を前記第２出力部用に割り当てるとともに、前記ビデオメモリの使用権限を前記第１出力部から前記第２出力部へ切替えることとしてもよい（第１０の構成）。
【００２８】
このような構成によれば、誤って外部機器を第２出力部に接続した場合でも、自動的に外部機器への適正な映像出力が可能となるので、ユーザは接続し直す必要が無く、ユーザにとっての利便性が向上する。
【００２９】
また、上記第１０の構成において、前記制御部は、前記使用権限を切替えるとともに、前記第１出力部から音声のみを出力可能とすることとしてもよい（第１１の構成）。
【００３０】
このような構成によれば、第２出力部に接続した外部機器へ映像を出力しつつ、第１出力部に接続した機器へ音声を出力することができる。
【発明の効果】
【００３１】
本発明の映像音声出力機器によると、音声専用の出力部を有する構成においてユーザの利便性を向上させることができる。
【図面の簡単な説明】
【００３２】
【図１】本発明の一実施形態に係る映像音声伝送システムの構成を示す概略図である。
【図２】本発明の第１実施形態に係るＢＤ再生装置における制御処理を示すフローチャートである。
【図３Ａ】ＨＤＭＩポートへの一接続例による各種状態を示す図である。
【図３Ｂ】ＨＤＭＩポートへの一接続例による各種状態を示す図である。
【図３Ｃ】ＨＤＭＩポートへの一接続例による各種状態を示す図である。
【図３Ｄ】ＨＤＭＩポートへの一接続例による各種状態を示す図である。
【図４】ユーザへの通知を行う画面の一例を示す図である。
【図５】本発明の第２実施形態に係るＢＤ再生装置における制御処理を示すフローチャートである。
【図６】映像出力形式テーブルの一例を示す図である。
【図７】本発明の第３実施形態に係るＢＤ再生装置における制御処理を示すフローチャートである。
【図８Ａ】本発明の第４実施形態に係るＨＤＭＩポートへの一接続例による各種状態を示す図である。
【図８Ｂ】本発明の第４実施形態に係るＨＤＭＩポートへの一接続例による各種状態を示す図である。
【発明を実施するための形態】
【００３３】
以下に本発明の一実施形態について図面を参照して説明する。ここでは、映像音声の伝送システムとして、ＨＤＭＩを用いたシステムを例に挙げて説明する。
【００３４】
＜１．第１実施形態＞
【００３５】
＜１．１  機器の構成について＞
図１は、本発明の第１実施形態に係る映像音声伝送システムの構成を示す概略図である。図１に示す映像音声伝送システムは、映像音声出力機器であるソース機器の一例であるＢＤ（Blu-ray(登録商標) Disc）再生装置１００と、映像音声入力機器であるテレビ装置２００と、シンク機器ＳＹ２と、を有する。なお、テレビ装置２００は、シンク機器ＳＹ１の一例である。
【００３６】
図１でＢＤ再生装置１００については、筐体内部にブロック構成を便宜上記載している。ＢＤ再生装置１００は、ＢＤおよびＤＶＤを再生し、再生された映像音声を外部へ出力する機能を有する。ＢＤ再生装置１００は、筐体背面側に、映像と音声を出力するための通常のＨＤＭＩポート（端子）であるメインポートＴ１と、映像と音声のうち音声のみを基本的に出力するための音声専用ＨＤＭＩポートであるサブポートＴ２と、を備える。なお、ＢＤ再生装置１００ではメインポートとサブポートは各々１個ずつであるが、それぞれ２つ以上であってもよい。
【００３７】
図１に示す例では、メインポートＴ１にＨＤＭＩケーブル１５０の一端が接続され、ＨＤＭＩケーブル１５０の他端がテレビ装置２００のＨＤＭＩポート（不図示）に接続される。ＢＤ再生装置１００で再生された映像と音声は、メインポートＴ１からＨＤＭＩケーブル１５０を介してテレビ装置２００へ伝送され、テレビ装置２００の表示部２０１に映像が表示され、テレビ装置２００のスピーカ２０２から音声が発生する。なお、メインポートＴ１には、テレビ装置に限らずモニタ等の他のシンク機器ＳＹ１を接続することも可能である。また、メインポートＴ１には、映像と音声のうち映像のみの入力に対応したシンク機器ＳＹ１を接続してもよい。
【００３８】
また、ＢＤ再生装置１００の工場出荷時には、サブポートＴ２の前面にはシールＳが貼られた状態であり、サブポートＴ２はシールＳによって覆われてユーザからは視認できない状態となっている。シールＳによって、ユーザはサブポートＴ２が音声専用ＨＤＭＩポートであることを知らされる。ユーザはシールＳを剥がすことで、サブポートＴ２にＨＤＭＩケーブルを接続することが可能となる。
【００３９】
通常、音声専用ＨＤＭＩポートであるサブポートＴ２には、映像入力に対応していないアンプ装置、スピーカ装置等の音声専用機器がシンク機器ＳＹ２としてＨＤＭＩケーブルによって接続される。これにより、ＢＤ再生装置１００で再生された音声をサブポートＴ２からＨＤＭＩケーブルを介して上記音声専用機器に伝送することができる。
【００４０】
図１に示すように、ＢＤ再生装置１００は、光ディスクドライブ１と、制御部２と、ビデオデコーダ３と、ビデオミキサ４と、ＯＳＤ部５と、スケーラ６と、ビデオメモリ７と、ＴＭＤＳエンコーダ８と、ＴＭＤＳドライバ９と、オーディオデコーダ１０と、オーディオミキサ１１と、オーディオメモリ１２と、ＴＭＤＳエンコーダ１３と、ＴＭＤＳドライバ１４と、メインポートＴ１と、サブポートＴ２と、を備える。
【００４１】
光ディスクドライブ１は、装填されたＢＤおよびＤＶＤを再生して、再生された映像信号および音声信号を出力する。光ディスクドライブ１から出力された映像信号は、ビデオデコーダ３に入力され、ビデオデコーダ３によってデコードされる。デコード後の映像信号はビデオミキサ４でミキシングされた後、スケーラ６に送られる。
【００４２】
スケーラ６は、入力された映像信号に対して解像度変換処理を行う部位であり、例えば、４Ｋの解像度で入力された映像信号に対してそのまま４Ｋの解像度で出力したり、２Ｋの解像度に変換した映像信号を出力することが可能である。なお、２Ｋは、１９２０×１０８０＝約２００万画素の所謂ハイビジョンでの画質に対応した解像度である。４Ｋは、３８４０×２１６０＝約８００万画素の解像度であり、２Ｋの４倍の解像度であり、ハイビジョンを超える高精細な画質に対応するものである。ビデオメモリ７は、スケーラ６から出力された映像信号を格納する。
【００４３】
光ディスクドライブ１から出力された音声信号は、オーディオデコーダ１０に入力され、オーディオデコーダ１０によってデコードされる。デコード後の音声信号はオーディオミキサ１１でミキシングされた後、オーディオメモリ１２に送られる。オーディオメモリ１２は、送られる音声信号を格納する。
【００４４】
ビデオメモリ７に格納された映像信号、およびオーディオメモリ１２に格納された音声信号は、ＴＭＤＳエンコーダ８に入力される。ＴＭＤＳエンコーダ８は、入力された映像音声信号をＴＭＤＳ（Transition Minimized Differential Signaling）データに変換する。ＴＭＤＳは、映像音声用の伝送方式であり、データ３チャネルとクロック１チャネルを有する。ＴＭＤＳデータは、ＴＭＤＳドライバ９を介してメインポートＴ１から外部のシンク機器ＳＹ１に伝送される。シンク機器ＳＹ１は、メインポート１とＨＤＭＩケーブルによって接続される。シンク機器ＳＹ１は、例えば図１に示したテレビ装置２００やモニタ等の少なくとも映像入力に対応する機器である。
【００４５】
音声専用ＨＤＭＩポートであるサブポートＴ２には、ＨＤＭＩケーブルを介してシンク機器ＳＹ２を接続可能である。映像入力に対応していないシンク機器ＳＹ２をサブポートＴ２に接続した場合、オーディオメモリ１２に格納された音声信号をＴＭＤＳエンコーダ１３でＴＭＤＳデータに変換し、ＴＭＤＳデータをＴＭＤＳドライバ１４を介してサブポートＴ２からシンク機器ＳＹ２に伝送することが可能である。
【００４６】
なお、ビデオメモリ７は、その格納領域（記憶領域）の全領域が基本的にはメインポートＴ１用に割り当て可能に確保されるが、後述するように、格納領域の少なくとも一部の領域がサブポートＴ２用に割り当てられる場合がある。その場合、ビデオメモリ７の上記領域に格納された映像信号は、ＴＭＤＳエンコーダ１３でＴＭＤＳデータに変換され、ＴＭＤＳドライバ１４を介してサブポートＴ２からシンク機器ＳＹ２に伝送される。
【００４７】
また、シンク機器ＳＹ１とメインポートＴ１、およびシンク機器ＳＹ２とサブポートＴ２とのＨＤＭＩ接続により、ソース機器であるＢＤ再生装置１００とシンク機器の間では、ＴＭＤＳデータの他に、ＤＤＣ（Display Data Channel）およびＣＥＣ（Consumer Electronics Control）による通信が行われる。ＤＤＣによって、シンク機器の構成や状態等の情報であるＥＤＩＤ（Extended Display Identification Data）情報をＢＤ再生装置１００に伝送することが可能である。また、ＣＥＣによって、機器間の複雑な制御を行うことができる。
【００４８】
また、ＯＳＤ部５は、ＯＳＤ（オンスクリーンディスプレイ）映像信号を生成し、ビデオミキサ４に出力する。ビデオミキサ４では、ビデオデコーダ３から入力される映像信号にＯＳＤ映像信号を重畳することが可能である。また、制御部２は、ＢＤ再生装置１００の各部を制御する。
【００４９】
＜１．２  ソース機器における制御処理＞
先述したように、ＨＤＭＩポートであるメインポートＴ１およびサブポートＴ２は、ソース機器であるＢＤ再生装置１００の背面に配置されるため、ユーザは手探りでシンク機器をＨＤＭＩケーブルにてＨＤＭＩポートに接続する場合がある。その場合、映像入力に対応したシンク機器（テレビ装置など）をメインポートＴ１に接続すべきところを誤ってサブポートＴ２に接続する場合が生じる。
【００５０】
また、サブポートＴ２を覆うシールＳを剥がした場合、サブポートＴ２が音声専用ＨＤＭＩポートであることが分かりづらく、ユーザが誤って映像入力に対応したシンク機器をサブポートＴ２に接続してしまうことも起こりうる。
【００５１】
そこで、本実施形態では、そのような場合でも、ユーザに誤った接続であることを通知できる機能を有しており、この機能に関して説明する。ここでは、図２に示すフローチャートに沿ってＢＤ再生装置１００における制御処理を説明する。
【００５２】
シンク機器ＳＹ２がＨＤＭＩケーブルによってサブポートＴ２に接続された場合に、これが検知されると、図２の処理が開始される。なお、図２では示していないが、処理が開始されると、制御部２は、オーディオメモリ１２をサブポートＴ２用に割り当てる。
【００５３】
まず、ステップＳ１で、制御部２は、接続されたシンク機器ＳＹ２から通信によりサブポートＴ２を介してＥＤＩＤ情報（識別情報の一例）を取得する。そして、ステップＳ２では、制御部２は、取得されたＥＤＩＤ情報に基づき、シンク機器ＳＹ２が映像入力に対応しているか否かを判定する。もし、シンク機器ＳＹ２が映像入力に対応していない場合（ステップＳ２のＮ）、ステップＳ３に進み、制御部２は、オーディオメモリ１２に格納された音声信号をＴＭＤＳエンコーダ１３、ＴＭＤＳドライバ１４を介してサブポートＴ２からシンク機器ＳＹ２に出力させる。これにより、音声専用機器であるシンク機器ＳＹ２（アンプ装置、スピーカ装置等）に音声を入力させることができる。
【００５４】
一方、シンク機器ＳＹ２が映像入力に対応している場合（ステップＳ２のＹ）、ステップＳ４に進む。ステップＳ４で制御部２は、ステップＳ１で取得されたＥＤＩＤ情報に基づき、接続されたシンク機器ＳＹ２が対応する所定の映像出力形式を特定し、特定した映像出力形式に応じてスケーラ６の設定、およびビデオメモリ７の格納領域の割り当てを行う。ここで、映像出力形式としては、例えば、解像度、走査方式（インタレース、またはプログレシブ）、リフレッシュレート（フレームレート）、ダイナミックレンジ（ＨＤＲ）、および色空間の表現方式（ＲＧＢまたはＹＣｂＣｒ）などを挙げることができ、いずれも使用するメモリ量に影響する。以下の実施形態の説明では一例として、映像出力形式は、解像度、走査方式、およびリフレッシュレートであることとする。
【００５５】
ここで、ビデオメモリ７の格納領域の割り当てについて説明する。図３Ａは、各ＨＤＭＩポートとそのポートへ接続されたシンク機器、およびそのポートから出力される信号を示す表、オーディオメモリ１２とオーディオミキサ１１の割り当て先を示す表、およびビデオメモリ７の格納領域の割り当て状態を示す図である。なお、後述の図３Ｂ〜図３Ｄにおいて同様である。
【００５６】
図３Ａは、メインポートＴ１にテレビ装置であるシンク機器ＳＹ１が接続され、サブポートＴ２にはシンク機器ＳＹ２が接続されない状態を示す。この場合、ビデオメモリ７の格納領域の全体がメインポートＴ１用に割り当てられる。なお、ビデオメモリ７の格納領域は、ＢＤ再生装置１００が出力可能な最大の解像度である４Ｋに対応した領域となっている。また、オーディオメモリ１２およびオーディオミキサ１１は、いずれもメインポートＴ１用に割り当てられる。これにより、ビデオメモリ７に格納された４Ｋの映像信号、およびオーディオメモリ１２に格納された音声信号がＴＭＤＳエンコーダ８、ＴＭＤＳドライバ９を介してメインポートＴ１からシンク機器ＳＹ１に伝送される。これにより、テレビ装置であるシンク機器ＳＹ１では、４Ｋでの映像が表示されるとともに、音声が発生する。
【００５７】
また、図３Ｂは、メインポートＴ１にテレビ装置であるシンク機器ＳＹ１が接続され、サブポートＴ２にはアンプ装置であるシンク機器ＳＹ２が接続される状態を示す。この場合、ビデオメモリ７の格納領域の全体がメインポートＴ１用に割り当てられる。また、図２の処理の開始により、オーディオメモリ１２は、サブポートＴ２用に割り当てられる。これにより、ビデオメモリ７に格納された４Ｋの映像信号は、ＴＭＤＳエンコーダ８、ＴＭＤＳドライバ９を介してメインポートＴ１からシンク機器ＳＹ１に伝送される。これにより、テレビ装置であるシンク機器ＳＹ１では、４Ｋでの映像が表示される。また、先述のステップＳ３により、オーディオメモリ１２に格納された音声信号は、ＴＭＤＳエンコーダ１３、ＴＭＤＳドライバ１４を介してサブポートＴ２からシンク機器ＳＹ２に伝送される。これにより、アンプ装置であるシンク機器ＳＹ２に音声が入力される。
【００５８】
また、図３Ｃは、メインポートＴ１にはシンク機器ＳＹ１は接続されず、サブポートＴ２に映像入力に対応したシンク機器ＳＹ２であるテレビ装置が接続された状態を示す。この場合、上記のステップＳ４において、シンク機器ＳＹ２が対応する所定の映像出力形式の一例である１０８０ｐ（２Ｋプログレシブ）に応じて、ビデオメモリ７の格納領域の一部がサブポートＴ２用に割り当てられる。すなわち、メインポートＴ１用のビデオメモリ７の格納領域の一部がサブポートＴ２用に割り当てられ、残りの領域はメインポートＴ１用の使用可能領域となる。これにより、メインポートＴ１用には映像出力形式の性能が制限されることになる。なお、図２の処理の開始により、オーディオメモリ１２は、サブポートＴ２用に割り当てられる。
【００５９】
このように例えば図３Ｃのようにビデオメモリ７の割り当てがされた後、ステップＳ５に進み、制御部２は、スケーラ６、およびビデオメモリ７の割り当てられた領域を用いて、上記所定の映像出力形式のＯＳＤ映像信号をＴＭＤＳデコーダ１３、ＴＭＤＳドライバ１４を介してサブポートＴ２からシンク機器ＳＹ２に伝送する。
【００６０】
ここで、上記ＯＳＤ映像信号により、シンク機器ＳＹ２には、例えば図４に示すような通知画面が表示される。図４の例では、シンク機器ＳＹ２が接続されたサブポートＴ２は音声専用であり、映像機器であるシンク機器ＳＹ２をメインポートＴ１に接続するよう促す通知画面となっている。
【００６１】
次に、ステップＳ６に進み、制御部２は、再度、シンク機器ＳＹ２からサブポートＴ２を介しＥＤＩＤ情報を取得する。そして、ステップＳ７で、制御部２は、取得したＥＤＩＤ情報に基づき、シンク機器ＳＹ２は映像を適正に受信しているか否かを判定する。
【００６２】
もし、映像受信が適正でない場合は（ステップＳ７のＮ）、ステップＳ４に戻り、制御部２は、ＥＤＩＤ情報に基づき、シンク機器ＳＹ２が対応する映像出力形式を変更し、変更後の映像出力形式にてビデオメモリ７の割り当て等を行う。
【００６３】
例えば、先述の図３Ｃのような１０８０ｐの映像出力形式を４８０ｉ（ＳＤＴＶインタレース）の映像出力形式に変更した場合を図３Ｄに示す。この場合、ビデオメモリ７の格納領域においてサブポートＴ２用に割り当てられる領域は、図３Ｃの場合よりも小さくなる。これにより、ビデオメモリ７におけるメインポートＴ１用に割り当て可能な領域は図３Ｃよりも増加する。
【００６４】
ステップＳ４の後は、先述と同様にステップＳ５以降が処理され、ステップＳ７で映像受信が適正となるまで、ステップＳ４で映像出力形式の変更が行われる。ステップＳ７で映像受信が適正となった場合（ステップＳ７のＹ）、ステップＳ８に進む。
【００６５】
ステップＳ８では、制御部８は、所定の解除操作が行われたかを判定する。解除操作は、例えば、ＢＤ再生装置１００を外部より遠隔操作するためのリモコン（不図示）において所定のキーを押す等の操作である。解除操作は、シンク機器ＳＹ２が映像入力に対応したアンプ装置等である場合に行われる。より具体的には、当該アンプ装置が、ソース機器とともに表示装置にも接続可能である場合、当該アンプ装置からソース機器に映像入力に対応した旨を示すＥＤＩＤ情報を出力する場合がある。この場合、ユーザとしては、誤ってシンク機器ＳＹ２（アンプ装置）をサブポートＴ２に接続した訳ではないが、ＥＤＩＤ情報によりステップＳ２で映像入力に対応したと判定されるので、上記通知用の映像信号がＢＤ再生装置１００から出力されることとなる。
【００６６】
そこで、ユーザは、シンク機器ＳＹ２のサブポートＴ２への接続は誤っていないとして、上記解除操作を行う。解除操作が行われない間は待ち状態となり（ステップＳ８のＮ）、解除操作がされた場合に（ステップＳ８のＹ）、ステップＳ９に進む。ステップＳ９で、制御部２は、ＯＳＤ映像信号のサブポートＴ２からの出力を停止させる。そして、ステップＳ１０に進み、制御部２は、ビデオメモリ７の格納領域の全体をメインポートＴ１用に割り当て可能となるよう設定変更する。そして、ステップＳ１１に進み、制御部２は、オーディオメモリ１２に格納された音声信号をＴＭＤＳエンコーダ１３、ＴＭＤＳドライバ１４を介してサブポートＴ２からシンク機器ＳＹ２に出力させる。ステップＳ１１で処理は完了となる。
【００６７】
また、映像入力に対応したシンク機器ＳＹ２（テレビ装置等）を誤ってサブポートＴ２に接続した場合、ユーザはシンク機器ＳＹ２に表示される上記通知画面を視認することにより、シンク機器ＳＹ２をメインポートＴ１に接続すべく、シンク機器ＳＹ２に接続されたＨＤＭＩケーブルをサブポートＴ２から引抜く可能性がある。ステップＳ８での待ち状態において、サブポートＴ２とシンク機器ＳＹ２との接続の切断を検知した場合、制御部２は、図２に示す処理とは別途に、ＯＳＤ映像信号のサブポートＴ２からの出力を停止させる。そして、制御部２は、ビデオメモリ７の格納領域の全体をメインポートＴ１用に割り当て可能となるよう設定変更する。
【００６８】
このように本実施形態によれば、映像入力に対応したシンク機器ＳＹ２を誤って音声専用ＨＤＭＩポートであるサブポートＴ２に接続した場合でも、メインポートＴ１用のビデオメモリ７の格納領域の一部を一時的にサブポートＴ２用に割り当てることで、通知用の映像をシンク機器ＳＹ２に出力させることができ、ユーザに接続が誤っていることを報知することができる。従って、ユーザが故障が生じた等の誤った判断をすることを抑制できる。このような効果を特にハードウェア資源を追加することなく享受することができ、コスト増加を抑えることができる。また、これにより工場出荷時にサブポートＴ２をシールで覆うことは必須ではなくなり、シールを省略することも可能である。
【００６９】
特に本実施形態では、サブポートＴ２用の映像出力形式設定を変更しながらシンク機器ＳＹ２での映像受信が適正かを判定するので、適正になったところでの映像出力形式で通知用の映像をシンク機器ＳＹ２に出力させることができる。従って、より確実にユーザに通知映像を視認させることができる。
【００７０】
＜２．第２実施形態＞
次に、本発明の第２実施形態について説明する。本実施形態のソース機器としては、先述した第１実施形態のＢＤ再生装置１００と構成は同様である。図５は、本実施形態におけるＢＤ再生装置１００が行う制御処理を示すフローチャートであり、第１実施形態の図２の処理との相違点について、特に詳述する。
【００７１】
シンク機器ＳＹ２がサブポートＴ２に接続されたことが検知された場合に図５の処理が開始されることは図２と同様であり、ステップＳ１１で、制御部２は、シンク機器ＳＹ２からサブポートＴ２を介してＥＤＩＤ情報を取得する。
【００７２】
ステップＳ１１では、さらに制御部２は、取得したＥＤＩＤ情報に基づき、シンク機器ＳＹ２が対応する映像出力形式から構成される映像出力形式テーブルを作成する。映像出力形式テーブルの一例を図６に示す。図６では、シンク機器ＳＹ２が対応する６種類の映像出力形式設定から構成される。なお、映像出力形式テーブルについては、必ずしも作成することには限らず、例えば予め一般的な映像出力形式設定を含んだ固定のテーブルを有するようにしてもよい。
【００７３】
そして、ステップＳ１２でシンク機器ＳＹ２が映像入力に対応している場合（ステップＳ１２のＹ）、ステップＳ１４に進み、制御部２は、作成された映像出力形式テーブルに含まれる所定の映像出力形式を選択し、選択した映像出力形式に応じてスケーラ６の設定、およびビデオメモリ７の格納領域の割り当てを行う。
【００７４】
次に、ステップＳ１５で、制御部２は、スケーラ６、およびビデオメモリ７の割り当てられた領域を用いて、上記所定の映像出力形式のＯＳＤ映像信号をＴＭＤＳデコーダ１３、ＴＭＤＳドライバ１４を介してサブポートＴ２からシンク機器ＳＹ２に伝送する。そして、制御部２は、一定時間を待ち、ステップＳ１７に進む。ステップＳ１７で、制御部２は、解除操作がされたかを判定し、されていない場合は（ステップＳ１７のＮ）、ステップＳ１４に戻る。ここで、制御部２は、作成された映像出力形式テーブルに含まれる先のステップＳ１４とは別の映像出力形式を選択し、ビデオメモリ７の格納領域の割り当て等を行う。
【００７５】
ステップＳ１４の後は、先述と同様にステップＳ１５以降が処理され、ステップＳ１７で解除操作がされるまで、ステップＳ１４で映像出力形式の変更が行われる。また、第１実施形態と同様に、サブポートＴ２とシンク機器ＳＹ２との接続が切断されたことを検知した場合、図６に示されない処理へ移行し、ビデオメモリ７の格納領域の全体をメインポートＴ１用に割り当て可能となるよう設定変更する。
【００７６】
このような本実施形態によっても、上記第１実施形態と同様の効果を享受できる。特に本実施形態では、作成された映像出力形式テーブルにおいて映像出力形式を一定時間ごとに選択変更しながら通知用映像をループ的に出力するので、ユーザはより確実に通知用映像を視認することが可能となる。第１実施形態では、ＥＤＩＤ情報に基づき映像受信が適正かを判定するので、ＥＤＩＤ情報の不安定さにより上記判定に誤判定が生じる可能性を鑑みる場合に、本実施形態を採用することは有効となる。
【００７７】
＜３．第３実施形態＞
次に、本発明の第３実施形態について説明する。本実施形態は、ＢＤ再生装置１００における制御処理について、先述した第１実施形態または第２実施形態を変形したものである。ここでは、図７に示すフローチャートを用いて、第２実施形態を変形した処理について説明する。
【００７８】
図７の処理において図５の処理と相違する点としては、図７の処理ではステップＳ２４、ステップＳ２５およびステップＳ２９が含まれることである。
【００７９】
ステップＳ２２でシンク機器ＳＹ２が映像入力に対応する場合（ステップＳ２２のＹ）、ステップＳ２４に進み、制御部２は、メインポートＴ１に映像入力に対応したシンク機器ＳＹ１（外部映像機器）が接続されているかを判定する。もし接続されている場合は（ステップＳ２４のＹ）、シンク機器ＳＹ２は誤ってサブポートＴ２に接続された訳ではないと判断し、ステップＳ２５に進み、制御部２は、オーディオメモリ１２に格納された音声信号をＴＭＤＳエンコーダ１３、ＴＭＤＳドライバ１４を介してサブポートＴ２からシンク機器ＳＹ２に出力させる。
【００８０】
一方、ステップＳ２４で、メインポートＴ１にシンク機器ＳＹ１が接続されていない場合は（ステップＳ２４のＮ）、ステップＳ２６に進み、ビデオメモリ７の格納領域のサブポートＴ２用の割り当て等が行われる。ステップＳ２８で一定時間の待ちがあった後、ステップＳ２９に進む。ステップＳ２９で、制御部２は、メインポートＴ１に映像入力に対応したシンク機器ＳＹ１が接続されているかを判定し、もし接続されていない場合は（ステップＳ２９のＮ）、ステップＳ３０に進み、解除操作がされたかを判定する。
【００８１】
メインポートＴ１にシンク機器ＳＹ１が接続されず、解除操作もされない間は、ステップＳ２６に戻り、映像出力形式の変更設定が行われる。ステップＳ２９で、メインポートＴ１にシンク機器ＳＹ１が接続されているか（ステップＳ２９のＹ）、または解除操作がされた場合は（ステップＳ３０のＹ）、ステップＳ３１に進み、制御部２は、ＯＳＤ映像信号のサブポートＴ２からの出力を停止させる。そして、ステップＳ３２に進み、制御部２は、ビデオメモリ７の格納領域の全体をメインポートＴ１用に割り当て可能となるよう設定変更する。そして、ステップＳ３３に進み、制御部２は、オーディオメモリ１２に格納された音声信号をＴＭＤＳエンコーダ１３、ＴＭＤＳドライバ１４を介してサブポートＴ２からシンク機器ＳＹ２に出力させる。ステップＳ３３で処理は完了となる。
【００８２】
なお、第２実施形態と同様に、サブポートＴ２とシンク機器ＳＹ２との接続が切断されたことを検知した場合、図７に示されない処理へ移行し、ビデオメモリ７の格納領域の全体をメインポートＴ１用に割り当て可能となるよう設定変更する。
【００８３】
このような本実施形態によっても、第１実施形態と同様の効果を享受できる。特に本実施形態では、ステップＳ２４の判定を行うことにより、サブポートＴ２にシンク機器ＳＹ２を接続したときに既にメインポートＴ１にシンク機器ＳＹ１を接続していた場合は、シンク機器ＳＹ２は誤って接続した訳ではないとして、シンク機器ＳＹ２にサブポートＴ２から音声を出力させることができる。また、ステップＳ２９の判定を行うことにより、サブポートＴ２にシンク機器ＳＹ２を接続した後に、メインポートＴ１にシンク機器ＳＹ１を接続した場合も、同様にシンク機器ＳＹ２は誤って接続した訳ではないとして、シンク機器ＳＹ２にサブポートＴ２から音声を出力させることができる。
【００８４】
＜４．第４実施形態＞
次に、本発明の第４実施形態について説明する。本実施形態のソース機器は、図１で示した構成のＢＤ再生装置１００であるが、制御方法は第１〜第３実施形態とは異種のものである。
【００８５】
ここで、例えば、メインポートＴ１は、４Ｋに対応するＨＤＭＩ２．０に準拠し、サブポートＴ２は、４Ｋには対応しないが２Ｋには対応するＨＤＭＩ１．４に準拠しているとする。本実施形態では、シンク機器ＳＹ２がサブポートＴ２に接続された場合に、シンク機器ＳＹ２から取得されるＥＤＩＤ情報等に基づき、シンク機器ＳＹ２が対応する映像出力形式をＨＤＭＩ１．４に準拠するサブポートＴ２によって対応することが可能であると制御部２が判定した場合、制御部２は、ビデオメモリ７の格納領域において上記映像出力形式に対応する領域をサブポートＴ２用に割り当て、残りの領域はメインポートＴ１に対して使用不可能とする。
【００８６】
例えば、メインポートＴ１にシンク機器ＳＹ１が接続されず、サブポートＴ２にテレビ装置であるシンク機器ＳＹ２が接続された場合に、シンク機器ＳＹ２が対応する映像出力形式が１０８０ｐである場合を図８Ａに示す。この場合、１０８０ｐはＨＤＭＩ１．４で対応することが可能であるので、ビデオメモリ７の格納領域において１０８０ｐに対応する領域がサブポートＴ２用に割り当てられ、残りの領域はメインポートＴ１に対して使用不可能となる。すなわち、ビデオメモリ７の使用権限がメインポートＴ１からサブポートＴ２に切替わる。また、オーディオメモリ１２は、シンク機器ＳＹ２に割り当てられる。これにより、ビデオメモリ７に格納された映像信号とオーディオメモリ１２に格納された音声信号がＴＭＤＳエンコーダ１３、ＴＭＤＳドライバ１４を介してサブポートＴ２からシンク機器ＳＹ２に伝送される。
【００８７】
これにより、シンク機器ＳＹ２を誤ってサブポートＴ２に接続した場合でも、そのままの状態でシンク機器ＳＹ２に映像音声を出力させることができ、ユーザにとっての利便性が向上する。
【００８８】
また、例えば、図８Ａの状態から図８Ｂのようにシンク機器ＳＹ１（アンプ装置）をさらにメインポートＴ１に接続する状態とした場合に、制御部２は、ビデオメモリ７の使用権限をサブポートＴ２に切替えた状態で、オーディオメモリ１２をメインポートＴ１に割り当て、オーディオメモリ１２に格納された音声信号をＴＭＤＳエンコーダ８、ＴＭＤＳドライバ９を介してメインポートＴ１からシンク機器ＳＹ１に出力させてもよい。すなわち、音声のみをメインポートＴ１から出力してもよい。
【００８９】
以上、本発明の実施形態について説明したが、本発明の趣旨の範囲内であれば、実施形態は種々の変形が可能である。
【００９０】
例えば、図２のステップＳ４、または図５のステップＳ１４等において、ビデオメモリ７の格納領域におけるサブポートＴ２用の割り当ては、映像出力形式を変更するたびに行うのではなく、映像出力形式の候補のうち使用するメモリ量が最大となる映像出力形式に対応した領域を一度だけ割り当てるようにしてもよい。これにより、割り当てを変更しないでも、映像出力形式を変更しつつ通知用映像を出力することができる。
【００９１】
また、本発明に係るソース機器は、ＢＤ再生装置に限らず、その他にもＢＤレコーダ、ＨＤＤレコーダ、セットトップボックス等の各種機器に適用することが可能である。
【符号の説明】
【００９２】
１  光ディスクドライブ
２  制御部
３  ビデオデコーダ
４  ビデオミキサ
５  ＯＳＤ部
６  スケーラ
７  ビデオメモリ
８  ＴＭＤＳエンコーダ
９  ＴＭＤＳドライバ
１０  オーディオデコーダ
１１  オーディオミキサ
１２  オーディオメモリ
１３  ＴＭＤＳエンコーダ
１４  ＴＭＤＳドライバ
１００  ＢＤ再生装置
１５０  ＨＤＭＩケーブル
２００  テレビ装置
２０１  表示部
２０２  スピーカ
Ｔ１  メインポート
Ｔ２  サブポート
ＳＹ１、ＳＹ２  シンク機器
Ｓ  シール
【図１】
2019009517.tif 000003
【図２】
2019009517.tif 000004
【図３Ａ】
2019009517.tif 000005
【図３Ｂ】
2019009517.tif 000006
【図３Ｃ】
2019009517.tif 000007
【図３Ｄ】
2019009517.tif 000008
【図４】
2019009517.tif 000009
【図５】
2019009517.tif 000010
【図６】
2019009517.tif 000011
【図７】
2019009517.tif 000012
【図８Ａ】
2019009517.tif 000013
【図８Ｂ】
2019009517.tif 000014